(57)【要約】【課題】電源投入時の回復機構部の初期化動作後にキャップが開放される場合、キャップ開放時の吐出回復の有無やインク吐出量の制御が行われないと不要なインク消費を生じさせる可能性がある。【解決手段】インクを吐出する吐出口を備えた記録ヘッドと、前記記録ヘッドの記録素子を駆動して前記吐出口からインクを吐出させて前記記録ヘッドの回復を行う回復手段と、を含む記録装置において、次の処理を実行する。即ち、前記記録装置への電源投入に伴う初期化処理の後、前記回復手段による吐出回復の要求を示すフラグを設定する。そして、記録ヘッドによる記録開始前に、前記設定される前記フラグがＯＮであるかＯＦＦであるかに応じて、前記回復手段により第１の吐出回復と該第１の吐出回復よりインク吐出量の少ない第２の吐出回復のいずれかを実行するよう制御する。【選択図】  図７
2020168780.tif 000002
【特許請求の範囲】
【請求項１】
インクを吐出する吐出口を備えた記録ヘッドと、
前記記録ヘッドの記録素子を駆動して前記吐出口からインクを吐出させて前記記録ヘッドの回復を行う回復手段と、を含む記録装置であって、
前記記録装置への電源投入に伴う初期化処理の後、前記回復手段による吐出回復の要求を示す第１のフラグを設定する設定手段と、
前記記録ヘッドによる記録開始前に、前記設定手段により設定される前記第１のフラグがＯＮであるかＯＦＦであるかに応じて、前記回復手段により第１の吐出回復と該第１の吐出回復よりインク吐出量の少ない第２の吐出回復のいずれかを実行するよう制御する制御手段とを有することを特徴とする記録装置。
【請求項２】
前記吐出口を覆うキャップをさらに有し、
前記設定手段が、前記初期化処理に伴い前記記録ヘッドから前記キャップをオープンして前記第１のフラグをＯＮに設定した後、
前記制御手段は、
予め定められた時間が経過しても記録命令が受信されない場合は、前記キャップにより前記吐出口を覆うキャッピング動作を実行して前記設定手段により前記第１のフラグをＯＦＦに設定し、
前記予め定められた時間が経過する前に前記記録命令が受信された場合は、前記回復手段により、前記第１の吐出回復を実行させ、その後、前記設定手段により前記第１のフラグをＯＦＦに設定するよう制御することを特徴とする請求項１に記載の記録装置。
【請求項３】
前記制御手段はさらに、
前記予め定められた時間が経過して前記キャッピング動作の実行中に前記記録命令が受信された場合は、前記回復手段により、前記第１の吐出回復を実行させ、その後、前記設定手段により前記第１のフラグをＯＦＦに設定するよう制御することを特徴とする請求項２に記載の記録装置。
【請求項４】
前記制御手段はさらに、
前記キャップにより前記吐出口を覆うキャッピング動作を実行した後であって、前記設定手段により前記第１のフラグをＯＦＦに設定した後に、前記記録命令が受信された場合は、前記回復手段により、前記第２の吐出回復を実行させるよう制御することを特徴とする請求項３に記載の記録装置。
【請求項５】
前記吐出口からインクを吸引して前記記録ヘッドの回復を行う吸引手段をさらに有し、
前記設定手段はさらに、前記吸引手段による吸引回復の要求を示す第２のフラグを設定することを特徴とする請求項２乃至４のいずれか１項に記載の記録装置。
【請求項６】
前記制御手段は、前記キャッピング動作が実行される前と、前記キャッピング動作の実行中と、前記キャッピング動作の終了後のうちの少なくともいずれかのタイミングで、前記第２のフラグがＯＮであるかＯＦＦであるかを判断することを特徴とする請求項５に記載の記録装置。
【請求項７】
前記制御手段はさらに、前記第２のフラグがＯＮであれば前記吸引手段に前記記録ヘッドの吸引回復を実行させるよう制御し、前記吸引回復の後、前記設定手段により前記第１のフラグをＯＦＦに設定するよう制御することを特徴とする請求項６に記載の記録装置。
【請求項８】
前記制御手段はさらに、前記吸引回復の後、前記回復手段により、前記第２の吐出回復を実行させるよう制御することを特徴とする請求項７に記載の記録装置。
【請求項９】
前記制御手段はさらに、前記第２のフラグがＯＦＦであれば前記回復手段により前記第１の吐出回復を実行させるよう制御し、前記第１の吐出回復の後、前記設定手段により前記第１のフラグをＯＦＦに設定するよう制御することを特徴とする請求項６に記載の記録装置。
【請求項１０】
前回の吐出回復からの経過時間を計測する計測手段と、
前記計測手段によって計測された経過時間に従って、前記第１の吐出回復によるインク吐出量を選択する選択手段と、をさらに有することを特徴とする請求項１乃至９のいずれか１項に記載の記録装置。
【請求項１１】
インクを吐出する吐出口を備えた記録ヘッドと、前記記録ヘッドの記録素子を駆動して前記吐出口からインクを吐出させて前記記録ヘッドの回復を行う回復手段と、を含む記録装置の回復方法であって、
前記記録装置への電源投入に伴う初期化処理の後、前記回復手段による吐出回復の要求を示すフラグを設定する設定工程と、
前記記録ヘッドによる記録開始前に、前記設定工程において設定される前記フラグがＯＮであるかＯＦＦであるかに応じて、前記回復手段により第１の吐出回復と該第１の吐出回復よりインク吐出量の少ない第２の吐出回復のいずれかを実行するよう制御する制御工程とを有することを特徴とする回復方法。
【発明の詳細な説明】
【技術分野】
【０００１】
本発明は記録装置及びその回復方法に関し、特に、例えば、インクジェット方式に従った記録ヘッドからインクを吐出して記録を行う記録装置及びその回復方法に関する。
【背景技術】
【０００２】
近年のインクジェット記録装置（以下、記録装置）では、インクを吐出するノズルを良好な状態に維持するために、記録媒体以外の場所にインクを吐出することによって回復動作を実行する回復機構を備えていることが知られている。この吐出回復動作は、記録ヘッドのノズル内において粘度が増大したインク、気泡、混色インクの排出や、吐出口付近の濡れインク・ごみなどの除去を目的としている。
【０００３】
一般に、記録装置への電源投入時に回復機構の初期化動作を実行する場合、その初期化の最後にユーザを待たせずに直ちに記録動作を開始できることを目的として、記録ヘッドの吐出口を覆うキャップを開放する構成を備えている（特許文献１）。そして、キャップ開放時には、ノズルの乾燥防止のため吐出回復を実行する。
【０００４】
しかしながら、ユーザが電源投入後すぐには記録動作を開始しない場合、所定時間経過後にキャッピング動作が行われ、次に記録命令が受信されると再度キャップが開放され吐出回復を実行する。このため、回復動作が重複して実行され、結果として、無駄なインクを消費する。このため、従前より、特許文献２に提案されているように、電源投入時に回復機構の初期化動作が行われキャップを開放するものの、吐出回復動作は実行せず、記録命令受信時に初めて吐出回復を実行する。
【先行技術文献】
【特許文献】
【０００５】
【特許文献１】特開平２−０９２５４８号公報
【特許文献２】特開昭６３−２４７０４９号公報
【発明の概要】
【発明が解決しようとする課題】
【０００６】
しかしながら、特許文献２では記録開始前に実行される回復動作でのインク消費量が一定のため、記録装置に電源投入後、未使用のまま長時間放置していた場合、記録ヘッドのノズル内部の粘度が増大したインクや気泡の量などが多くなってしまうことがある。このため、回復動作を実行してインクを排出しても、記録ヘッドの吐出性能を回復するのに十分なインク量が排出できず、その結果、吐出不良が発生する可能性がある。さらに、未使用時間が短い場合には、長時間放置した場合とインク排出量が同じであるため、必要以上のインク排出がなされ、無駄にインクを消費してしまうという問題もある。
【０００７】
本発明は上記従来例に鑑みてなされたもので、電源投入時にインクの無駄な消費を抑えつつ、適切な回復動作を行って記録ヘッドを良好な状態に維持することが可能な記録装置及びその回復方法を提供することを目的とする。
【課題を解決するための手段】
【０００８】
上記目的を達成するために本発明の記録装置は次のような構成からなる。
【０００９】
即ち、インクを吐出する吐出口を備えた記録ヘッドと、前記記録ヘッドの記録素子を駆動して前記吐出口からインクを吐出させて前記記録ヘッドの回復を行う回復手段と、を含む記録装置であって、前記記録装置への電源投入に伴う初期化処理の後、前記回復手段による吐出回復の要求を示す第１のフラグを設定する設定手段と、前記記録ヘッドによる記録開始前に、前記設定手段により設定される前記第１のフラグがＯＮであるかＯＦＦであるかに応じて、前記回復手段により第１の吐出回復と該第１の吐出回復よりインク吐出量の少ない第２の吐出回復のいずれかを実行するよう制御する制御手段とを有することを特徴とする。
【００１０】
また本発明を別の側面から見れば、インクを吐出する吐出口を備えた記録ヘッドと、前記記録ヘッドの記録素子を駆動して前記吐出口からインクを吐出させて前記記録ヘッドの回復を行う回復手段と、を含む記録装置の回復方法であって、前記記録装置への電源投入に伴う初期化処理の後、前記回復手段による吐出回復の要求を示すフラグを設定する設定工程と、前記記録ヘッドによる記録開始前に、前記設定工程において設定される前記フラグがＯＮであるかＯＦＦであるかに応じて、前記回復手段により第１の吐出回復と該第１の吐出回復よりインク吐出量の少ない第２の吐出回復のいずれかを実行するよう制御する制御工程とを有することを特徴とする回復方法を備える。
【発明の効果】
【００１１】
本発明によれば、記録開始前に実行される吐出回復で消費されるインク吐出量が制御されるので、無駄なインク消費を抑えつつ、記録ヘッドを良好な状態に維持することができるという効果がある。
【図面の簡単な説明】
【００１２】
【図１】本発明の代表的な実施例であるインクジェット記録ヘッドを備えた記録装置の構成概略を示す斜視図である。
【図２】図１に示した記録装置の回復機構の詳細な構成を示す斜視図である。
【図３】図１に示した記録装置に搭載される記録ヘッドの概略構成を示す図である。
【図４】図１に示した記録装置の制御構成を示すブロック図である。
【図５】図１に示した記録装置の電源投入時の動作を示すフローチャートである。
【図６】記録開始前の吐出回復動作を説明する図である。
【図７】実施例１に従う記録開始前動作を示すフローチャートである。
【図８】実施例２に従う記録開始前動作を示すフローチャートである。
【図９】実施例３に従う記録開始前動作を示すフローチャートである。
【図１０】実施例４に従う記録開始前動作を示すフローチャートである。
【図１１】実施例４に従う記録開始前動作を示すフローチャートである。
【図１２】実施例４に従う記録開始前動作を示すフローチャートである。
【発明を実施するための形態】
【００１３】
以下、添付図面を参照して実施形態を詳しく説明する。なお、以下の実施形態は特許請求の範囲に係る発明を限定するものではない。実施形態には、複数の特徴が記載されているが、これらの複数の特徴の全てが発明に必須のものとは限らず、また、複数の特徴は任意に組み合わせられても良い。さらに添付図面においては、同一若しくは同様の構成に同一の参照番号を付し、重複した説明は省略する。
【００１４】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１７】
またさらに、「ノズル（「記録素子」と言う場合もある）」とは、特にことわらない限り吐出口ないしこれに連通する液路およびインク吐出に利用されるエネルギーを発生する素子を総括して言うものとする。
【００１８】
以下に用いる記録ヘッド用の素子基板（ヘッド基板）とは、シリコン半導体からなる単なる基体を指し示すものではなく、各素子や配線等が設けられた構成を差し示すものである。
【００１９】
さらに、基板上とは、単に素子基板の上を指し示すだけでなく、素子基板の表面、表面近傍の素子基板内部側をも示すものである。また、本発明でいう「作り込み（built-in）」とは、別体の各素子を単に基体表面上に別体として配置することを指し示している言葉ではなく、各素子を半導体回路の製造工程等によって素子板上に一体的に形成、製造することを示すものである。
【００２０】
＜記録装置の概要説明（図１〜図４）＞
図１は本発明の代表的な実施例であるインクジェット記録ヘッド（以下、記録ヘッド）を用いて記録を行う記録装置１００の構成の概要を示す外観斜視図である。図１に示すように、記録装置１００は、給紙部１０１と、搬送部１０２と、記録部１０３と、回復機構部１０４と、インクタンク１０５と、インク供給チューブ１０６を備えている。
【００２１】
給紙部１０１に積載された記録媒体は、給紙モータ（不図示）により駆動されるピックアップローラ（不図示）、給紙ローラによって１枚ずつピックアップされて送出され、搬送部１０２へ給送される。搬送部１０２は、給紙部１０１により供給された記録媒体を搬送する。搬送部１０２に給送された記録媒体は、搬送モータ（不図示）により駆動される搬送ローラ１０７及びピンチローラ（不図示）によって挟持され、記録部１０３を通過するように搬送される。
【００２２】
記録部１０３は、画像データに基づいて後述する記録ヘッドから記録媒体にインクを吐出して画像を記録する。記録ヘッドにはインクタンク１０５からインク供給チューブ１０６を介してインクが供給される。記録部１０３は、記録媒体の搬送方向（Ｙ方向）と交差するＸ方向（走査方向）に往復移動することが可能なキャリッジ１０８と、キャリッジ１０８に搭載された後述する記録ヘッド１０９、１１０とを備えている。キャリッジ１０８は、記録装置に設置されたガイドレールに沿ってＸ方向に往復移動が可能に支持されている。キャリッジ１０８は、キャリッジモータ（不図示）によって駆動されるキャリッジベルト（不図示）を介して、記録媒体に記録を行う際に記録領域を往復移動する。
【００２３】
キャリッジ１０８に搭載されたエンコーダセンサ（不図示）と記録装置１００にＸ方向に張架されたエンコーダスケール（不図示）によってキャリッジ１０８のＸ方向の位置及び速度が検出される。そして、これらの位置及び速度に基づいてキャリッジ１０８の移動が制御される。キャリッジ１０８が移動している際に、記録ヘッド１０９、１１０からインクを吐出することにより記録媒体上に記録が行われる。記録媒体は搬送部１０２により搬送ローラ１０７と同期して駆動される排紙ローラ１１１、及び排紙ローラ１１１に押圧される拍車（不図示）に挟持されて記録装置１００の外部へ排出される。
【００２４】
図２は回復機構部１０４の詳細な構成を示す斜視図である。
【００２５】
図２において、キャップ２０ａ、２０ｂは、記録ヘッド１０９、１１０それぞれの吐出口を覆い、記録ヘッドの吐出面の乾燥を防止する。キャップ２０ａ、２０ｂと記録ヘッド１０９、１１０は、記録ヘッドの吐出面を密閉するキャッピング位置と、記録ヘッドの吐出面から離間する離間位置とに相対的に移動可能である。また、ワイパ２１ａ、２１ｂは、記録ヘッド１０９、１１０それぞれのノズルが設けられている面（吐出面）に付着したインク滴を払拭することにより吐出面の状態を正常な状態へと回復する役割を果たす。さらに、吸引機構２２は、キャップ２０ａ、２０ｂにより記録ヘッド１０９、１１０の吐出口からインクを吸引することで、記録ヘッド１０９、１１０のノズル内の気泡除去、粘度の増大したインクの排出、インク再充填などを行う。なお、記録ヘッド１０９、１１０が回復機構部１０４と対向する位置を、キャリッジ１０８のホームポジションと称する。
【００２６】
図３は図１に示した記録装置に搭載される記録ヘッドの概略構成を示す図である。
【００２７】
図３において、（ａ）は記録ヘッド１０９、１１０を示す斜視図、（ｂ）は記録ヘッド１０９をＺ方向に見たときを示す下面図、（ｃ）は記録ヘッド１０９のシアンインクの吐出口列３０３を示す拡大図である。さらに、（ｄ）は記録ヘッド１１０をＺ方向に見たときを示す下面図、（ｅ）は記録ヘッド１１０のブラックインクの吐出口列３１０を示す拡大図である。
【００２８】
記録ヘッド１０９、１１０にはそれぞれ、コンタクトパッド３０１を介して記録装置１００本体から記録信号を受信し、記録ヘッドの駆動に必要な電力が供給される。記録ヘッド１０９の場合、図３（ｂ）に示すように、ヘッドチップ３０２には、シアンインクを吐出する吐出口列３０３、マゼンタインクを吐出する吐出口列３０４、イエロインクを吐出する吐出口列３０５が配置されている。また、図３（ｃ）においてシアンインクの吐出口列３０３を例に示すように、インク液室３０６の両側には大きなインク液滴（５ｐｌ）を吐出する吐出口３０７と、小さなインク液滴（２ｐｌ）を吐出する吐出口３０８が配置されている。
【００２９】
一方、記録ヘッド１１０のヘッドチップ３０９には、図３（ｄ）に示すように、ブラックインクを吐出する吐出口列３１０が配置されている。図３（ｅ）に示すように、インク液室３１１の両側には大きなインク液滴（１２ｐｌ）を吐出する吐出口３１２、３１３が配置されている。
【００３０】
記録ヘッド１０９、１１０は、熱エネルギーを利用してインクを吐出するインクジェット方式に従う記録ヘッドであり、熱エネルギーを発生するための電気熱変換素子を複数備えている。この方式によれば、電気熱変換素子に印加されるパルス信号によって熱エネルギーを発生し、この熱エネルギーによってインク内部に膜沸騰を生じさせ、更に膜沸騰の発泡圧力を利用して、吐出口よりインクを吐出して記録を行う。
【００３１】
なお、上記構成の記録装置ではチューブを介してインクを記録ヘッドに供給する構成を例に挙げて説明しているが、キャリッジに対して記録ヘッドとともに搭載したインクタンクからインクを供給する構成（オンキャリッジ方式）を用いても良い。
【００３２】
図４は図１に示した記録装置の制御構成を示すブロック図である。
【００３３】
図４に示すＲＯＭ４００１は実行する制御プログラムとその制御における各設定値を格納し、ＲＡＭ４００２は制御プログラムを実行する際のプログラム展開、画像データおよび制御命令を記憶し、各制御における制御変数を記憶する。タイマ回路４００３は現在の時刻を取得することが可能な回路、或いは、経過時間を計測可能な回路である。不揮発性メモリ（ＮＶＲＡＭ）４００４は、記録装置１００本体の電源を切った状態でも、制御で記憶したパラメータを記憶できるメモリであり、記録制御や回復動作で経過時間を算出する際の起点となる時刻の書込み及び読出しが行われる。
【００３４】
制御回路４０００はＣＰＵ４０００ａとＡＳＩＣ４０００ｂを内蔵し、ＣＰＵ４０００ａによりＲＯＭ４００１に格納された制御プログラム或いはＲＡＭ４００２に展開した制御プログラムを実行する。以下の実施例で説明するシーケンスは制御プログラムで実行されるシーケンスの一部である。
【００３５】
外部接続回路４００５は、記録装置１００の本体と外部のホスト装置を有線或いは無線で通信を行う際のインタフェースであり、このインタフェースを介して受信した制御信号を制御回路４０００に転送する。また、外部接続回路４００５を介して、外部より記録のための画像データを受信する。また、外部接続回路４００５を介して、現在の時刻を記録装置１００の本体に入力してもよい。
【００３６】
制御回路４０００は受信した画像データをＲＡＭ４００２に展開する。さらに、制御回路４０００はＲＡＭ４００２に展開された画像データに基づいて、記録ヘッド駆動回路４００６を介して記録ヘッド１０９、１１０の駆動を制御し、同時にキャリッジモータ駆動回路４０１０を介してキャリッジモータ４０１１を制御する。制御回路４０００による制御により記録媒体の所望の位置にインクの吐出を行うことで一回の記録走査を実行したことになる。また、制御回路４０００は搬送モータ駆動回路４０１２を介して搬送モータ４０１３を制御することで記録媒体を所望の分だけ搬送させる。
【００３７】
また、制御回路４０００がパージモータ駆動回路４００８を介してパージモータ４００９を制御することで記録ヘッド１０９、１１０より所望のインク量を吸引する。また、キャップに行うインク吐出は、制御回路４０００が記録ヘッド駆動回路４００６を介して記録ヘッド１０９、１１０の駆動を制御することで所望のインク量を排出する。この場合、記録ヘッドを駆動するために用いる画像データは、前記の記録動作と同様にＲＡＭ４００２に展開したデータ、もしくはＲＯＭ４００１のデータ、もしくは制御回路で生成されたデータの何れかに基づいたものとなる。
【００３８】
次に、以下に説明する実施例で用いられる吐出回復制御について説明する。
【００３９】
記録装置１００は記録ヘッドのノズル内部で粘度が増大したインク、気泡、混色インクの排出や吐出口付近に付着したインクやごみなどの除去を目的として、キャップ内に吐出口から画像の記録に寄与しないインク吐出を行って記録ヘッドの回復動作を実行する。ここでは、これを吐出回復（予備吐出）と呼ぶ。なお、吐出回復としては、キャップとは異なる場所に画像の記録に寄与しないインク吐出を行う構成も採用可能である。また、吐出回復動作を必要とする状況として、キャップ開放時、ワイパによるヘッド清掃時、記録開始時などがある。
【００４０】
＜記録装置への電源投入時の動作（図５）＞
図５は記録装置への電源投入時の動作を示すフローチャートである。
【００４１】
まず、ステップＳ１０で記録装置１００に電源が投入されると、ステップＳ２０では回復機構部１０４の初期化動作を実行する。初期化動作とは、記録ヘッド１０９、１１０を搭載したキャリッジ１０８のホームポジションへの移動、各種カウンタのリセットなどを指す。初期化動作の最後にはキャップ２０ａ、２０ｂを開放し、待機状態に移行する。これは、電源投入直後であっても、記録動作をただちに開始可能にするためである。
【００４２】
ステップＳ２０ではキャップ開放による吐出回復動作は実行せず、ステップＳ３０で吐出回復要求フラグ（ＤＲＦ）をセットし、これを不揮発性メモリ４００４に記憶する。吐出回復要求フラグ（ＤＲＦ）は、ステップＳ２０におけるキャップ開放に伴い必要となる吐出回復動作を制御するためのものであり、当該フラグに基づき所定のタイミングで吐出回復を実行する。
【００４３】
なお、吐出回復要求フラグ（ＤＲＦ）は不揮発性メモリ４００４に記憶されているので、電源投入時に制御回路のＣＰＵ４０００ａが不揮発性メモリ４００４から以前の値を読み出して、ＲＡＭ４００２の所定のアドレスにセットしても良い。また、初期化動作において、ユーザが記録装置１００の操作パネル（不図示）や記録装置１００を接続するホスト装置（不図示）から再設定しても良い。
【実施例１】
【００４４】
図６は記録開始前の吐出回復動作を説明する図であり、図６において、（ａ）は記録開始前の吐出回復動作の処理を示すフローチャートであり、（ｂ）は図６（ａ）に示されている吐出回復の詳細を示す表である。
【００４５】
図６（ａ）に示すように、記録動作開始前、まずステップＳ１００において吐出回復要求フラグ（ＤＲＦ）がセットされているか否か、即ち、そのフラグがＯＮ（フラグの値が“１”）であるかどうかを調べる。ここで、吐出回復要求フラグ（ＤＲＦ）がＯＮにセットされていると判断された場合は、処理はステップＳ１１０に進み、吐出回復Ａを実行する。これに対して、吐出回復要求フラグ（ＤＲＦ）がＯＮにセットされていない（即ち、フラグの値は“０”）と判断された場合は、処理はステップＳ１２０に進み、吐出回復Ａよりもインク吐出量の少ない吐出回復Ｂを実行する。
【００４６】
吐出回復Ａは、図６（ｂ）に示すように、例えば、前回の吐出回復動作からの経過時間に応じてインク吐出発数を変化させて、吐出回復を実行する。図６（ｂ）に示す例では、経過時間（Ｔ１）が０≦Ｔ１＜６時間である場合、インク吐出発数を７０とし、経過時間（Ｔ１）が６≦Ｔ１＜２４時間である場合、インク吐出発数を８００とする。さらに、経過時間（Ｔ１）がＴ１≧２４時間である場合、吐出発数を１３００としている。
【００４７】
一方、吐出回復Ｂは、図６（ｂ）に示すように、前回の吐出回復動作からの経過時間に係りなく、インク吐出発数を３０として、吐出回復を実行する。図６（ｂ）から分かるように、吐出回復Ｂは、吐出回復Ａのいずれの場合よりもインク吐出量が少ない。これは、吐出回復要求フラグ（ＤＲＦ）は必要な吐出回復動作を行わなかった際にセットする予約フラグであり、当該フラグがセットされていない場合、必要な回復動作が既に実行されている状態であると想定されるためである。
【００４８】
以上のように、記録装置１００では電源投入後の記録開始前に吐出回復要求フラグ（ＤＲＦ）への設定の有無（ＯＮ又はＯＦＦ）に従って異なる種類の吐出回復を行うことができる。
【００４９】
なお、前回の吐出回復動作とは、吐出回復Ａでも良いし、吐出回復Ｂでも良い。或いは、インク吐出発数、インク吐出量などの異なる他の吐出回復動作でもよい。また、ここでは経過時間として、前回の吐出回復動作からの経過時間を用いる例を示しているが、例えば、前回のキャッピング動作からの経過時間でもよいし、前回の動作終了時刻からの経過時間でもよい。
【００５０】
さらに、ここで説明する吐出回復Ａの経過時間と吐出発数の値は一例に過ぎない。従って、経過時間の閾値が異なるもの、吐出発数が異なるもの、経過時間と吐出発数の組み合わせが異なるもの、吐出ノズル列毎に経過時間または吐出発数の異なるものであってもよい。同様に、ここで説明する吐出回復Ｂの吐出発数の値は一例に過ぎず、吐出回復Ａよりもインク吐出量が少ない限り、他の吐出発数であっても良いことは言うまでもない。
【００５１】
図７は回復機構部の初期化処理後、キャッピング動作開始前に記録命令を受信した場合の記録開始前動作を示すフローチャートである。
【００５２】
まず、ステップＳ２００では、回復機構部１０４の初期化処理に伴うキャップオープン動作を実行する。通常、キャップが開放されると吐出口の乾燥を防ぐために吐出回復動作を実行するが、ここではこれを実行せず、次のステップＳ２１０において、吐出回復要求フラグ（ＤＲＦ）をＯＮにセットする。このフラグは、ステップＳ２００において必要な吐出回復動作を実行しなかった分に相当する吐出回復動作を後から所定のタイミングで実行させるための予約フラグとしての役割を果たす。
【００５３】
次に、ステップＳ２２０において所定時間が経過したか否かを調べる。所定時間とは、少なくとも０秒以上の時間を指す。ここで、経過時間（Ｔ２）が所定時間に達していないと判断された場合、処理はステップＳ２５０に進み、記録命令を受信したか否かを調べる。ここで、所定時間とは、キャップオープン動作の後キャッピング動作が行われるまでの時間であり、この実施形態では例えば３０秒が設定される。ステップＳ２５０において、記録命令を受信していないと判断された場合、処理はステップＳ２２０に戻り、所定時間が経過するまでは、ステップＳ２５０における記録命令を受信したか否かを判断するという処理を繰り返す。
【００５４】
これに対して、ステップＳ２５０において記録命令を受信したと判断された場合、処理はステップＳ２６０に進み、ステップＳ２１０においてＯＮにセットされた吐出回復要求フラグ（ＤＲＦ）に従って吐出回復Ａを実行する。その後、処理はステップＳ２７０に進み、吐出回復要求フラグ（ＤＲＦ）をＯＦＦにセットし、さらにステップＳ２８０において記録動作が開始される。
【００５５】
さて、ステップＳ２２０において、経過時間Ｔ２が所定時間に達したと判断された場合、処理はステップＳ２９０に進み、キャッピング動作を実行する。その後、処理はステップＳ３００において吐出回復要求フラグ（ＤＲＦ）をＯＦＦにセットする。そして、処理を終了する。
【００５６】
上述したように、吐出回復要求フラグ（ＤＲＦ）はキャップ開放に伴い必要な回復を行うための予約フラグとして用いられる。従って、キャッピング動作実行後はもはや吐出回復要求フラグ（ＤＲＦ）の予約による吐出回復動作を行う必要がないので、そのフラグをＯＦＦにセットする。一方、ステップＳ３００において、吐出回復要求フラグをＯＦＦにセットしないと、吐出回復要求を解除しないことを意味する。この場合には、次のキャップ開放のタイミングではそのフラグに従って吐出回復Ａと通常のキャップ開放に伴う吐出回復動作の両方を実行することになり、不要な吐出回復動作を重複して行ってしまう。
【００５７】
以上の理由から、ステップＳ３００において、吐出回復要求フラグ（ＤＲＦ）をＯＦＦにセットする。
【００５８】
従って以上説明した実施例に従えば、記録ヘッドのキャップがオープンされて所定時間内に記録がなされないなら、キャッピング動作を行って吐出回復要求を解除する。一方、所定時間内に記録命令があるなら、経過時間Ｔ１に従った吐出量の吐出回復を行った後に記録動作を開始する。これにより、良好な記録のために吐出回復が必要な場合にのみ吐出回復を行うことが可能になるので、吐出回復によるインク消費を抑えることができる。
【実施例２】
【００５９】
実施例１では、キャッピング動作開始前に記録命令を受信した場合の記録開始前動作を実行する例について説明したが、実施例２では、キャッピング動作の実行中に記録命令を受信した場合の処理について説明する。
【００６０】
図８は実施例２に従う記録開始前動作を示すフローチャートである。図８において、既に図７で説明したのと同じ処理については同じステップ参照番号を付し、その説明を省略する。
【００６１】
図８によれば、ステップＳ２００〜Ｓ２１０の後、ステップＳ２２０において所定時間の経過を待ち合わせ、所定時間（例えば、３０秒）が経過したと判断されると、ステップＳ２３０においてキャッピング動作を開始する。そして、ステップＳ２４０では、キャッピング動作が完了したか否かを判断する。ここで、キャッピング動作が完了していないと判断された場合、処理はステップＳ２５０に進み、記録命令を受信したか否かを判断する。ここで、記録命令を受信していないと判断された場合、処理はステップＳ２４０に戻り、キャッピング動作が完了しない限りステップＳ２５０における記録命令を受信したか否かという判断を繰り返す。
【００６２】
ステップＳ２５０において記録命令を受信したと判断された場合、処理はステップＳ２６０に進み、吐出回復要求フラグ（ＤＲＦ）に従って吐出回復Ａを実行する。その後、ステップＳ２７０〜Ｓ２８０の処理を実行する。
【００６３】
一方、ステップＳ２４０において、キャッピング動作が完了したと判断された場合、処理はステップＳ３００に進み、吐出回復要求フラグにＯＦＦをセットして、処理を終了する。
【００６４】
従って以上説明した実施例に従えば、記録ヘッドのキャップがオープンされて所定時間経過しても記録命令がない場合には記録ヘッドをキャッピングして、吐出回復要求を解除する。一方、そのキャッピング動作中に記録命令を受信した場合には、経過時間Ｔ１に従った吐出量の吐出回復を行った後に記録動作を開始する。これにより、良好な記録のために吐出回復が必要な場合にのみ吐出回復を行うことが可能になるので、吐出回復によるインク消費を抑えることができる。
【実施例３】
【００６５】
実施例１〜２では、キャッピング動作開始前とキャッピング動作中に記録命令を受信した場合の記録開始前動作の処理をそれぞれ説明したが、実施例３では、キャッピング動作終了後に記録命令を受信した場合の処理について説明する。
【００６６】
図９は実施例３に従う記録開始前動作を示すフローチャートである。なお、図９において、既に図７〜図８で説明したのと同じ処理については同じステップ参照番号を付し、その説明を省略する。
【００６７】
図９によれば、ステップＳ２００〜Ｓ２３０の後、処理はステップＳ２４０において、キャッピング動作の完了を待ち合わせ、キャッピング動作が完了したと判断された場合、処理はステップＳ２４５に進み吐出回復要求フラグ（ＤＲＦ）をＯＦＦにセットする。そして、次のステップＳ２５０において、記録命令を受信したか否かを判断する。ここで、記録命令を受信するまで処理を待ち合わせ、記録命令を受信したと判断された場合、処理はステップＳ２６０’に進み、吐出回復Ｂを実行し、その後、ステップＳ２８０において記録動作を開始する。
【００６８】
従って以上説明した実施例に従えば、記録ヘッドのキャップがオープンされて所定時間経過しても記録命令がない場合には記録ヘッドをキャッピングし、その後、記録命令を受信した場合には、インク吐出量の少ない吐出回復を行った後に記録動作を開始する。これにより、吐出回復によるインク消費を抑えることができる。
【実施例４】
【００６９】
実施例１〜３では、記録命令受信時に吐出回復要求フラグ（ＤＲＦ）以外のフラグがセットされていない場合を前提とした動作の例について説明したが、実施例４では、記録命令受信時に吸引回復要求フラグがセットされていた場合の動作について説明する。
【００７０】
記録装置は、記録ヘッド内の気泡除去、固着インクの排出、インク充填などを目的として吸引機構２２を用いた吸引回復動作による記録ヘッドの回復を実行している。回復動作は、インクタンク交換時、前回回復動作の実行後の一定時間経過時、前回回復動作の実行後の記録動作で消費したインク液滴の量（ドット数）が一定の値以上になった場合などに実行される。このような状況下において吸引回復要求フラグ（ＳＲＦ）をＯＮにセットし、これを不揮発性メモリ４００４に記憶する。記録装置では、この吸引回復要求フラグに基づき、所定のタイミングで回復動作を実行する。
【００７１】
記録装置１００（制御回路のＣＰＵ４０００ａ）は、吸引回復要求フラグ（ＳＲＦ）を吐出回復要求フラグ（ＤＲＦ）と同様に、記録装置１００に電源が投入され、回復機構部１０４の初期化動作を実行する際に設定する。また上述のように吐出回復要求フラグ（ＤＲＦ）と同様に、電源投入時に不揮発性メモリ４００４から以前の値を読み出して、ＲＡＭ４００２の所定のアドレスにセットしても良い。また、初期化動作において、ユーザが記録装置１００の操作パネル（不図示）や記録装置１００を接続するホスト装置（不図示）から再設定しても良い。
【００７２】
図１０〜図１２は実施例４に従う記録開始前動作を示すフローチャートである。なお、図１０〜１２において、既に図７〜図９で説明したのと同じ処理については同じステップ参照番号を付し、その説明を省略する。この実施例では、記録命令を受信した場合に、吸引回復要求フラグ（ＳＲＦ）がセットされているか否かの判断を追加した処理を行う。この判断はいくつかのタイミングで実行されるが、この実施例では次の３つのタイミングを想定する。即ち、
（１）キャッピング動作前（図１０）
（２）キャッピング動作中（図１１）
（３）キャッピング動作終了後（図１２）
である。
【００７３】
図１０によれば、実施例１と同様に、ステップＳ２００〜Ｓ２２０及びＳ２５０の処理を実行後、即ち、記録命令受信後、ステップＳ２５５において、吸引回復要求フラグ（ＳＲＦ）がＯＮにセットされているか否かを調べる。ここで、吸引回復要求フラグ（ＳＲＦ）がＯＮにセットされていない（即ち、ＯＦＦ）と判断された場合、実施例２と同様に、処理はステップＳ２６０〜Ｓ２８０を実行する。これに対して、吸引回復要求フラグ（ＳＲＦ）がＯＮにセットされていると判断された場合、処理はステップＳ３１０に進み、吸引回復動作を実行する。その後、ステップＳ３２０では、吐出回復要求フラグ（ＤＲＦ）をＯＦＦにセットして、吐出回復要求を解除する。これは、吸引回復動作の後は記録ヘッドの吐出口を良好な状態に回復できると考えられるので、不要なインク消費を防止するためである。さらに、ステップＳ３３０では、吐出回復Ｂを実行して、処理はステップＳ２８０に進み、記録動作を開始する。
【００７４】
なお、ステップＳ２２０において、所定時間（例えば、３０秒）が経過したと判断された場合、実施例１と同様に、ステップＳ２９０〜Ｓ３００の処理を実行する。
【００７５】
図１１はキャッピング動作中に記録命令を受信した場合における記録開始前動作を示すフローチャートである。
【００７６】
図１１によれば、実施例２と同様にステップＳ２００〜Ｓ２５０の処理後、即ち、記録命令受信後、ステップＳ２５５において、吸引回復要求フラグ（ＳＲＦ）がＯＮにセットされているか否かを調べる。ここで、吸引回復要求フラグ（ＳＲＦ）がＯＮにセットされていない（即ち、ＯＦＦ）と判断された場合、実施例２と同様に処理はステップＳ２６０〜Ｓ２８０を実行する。これに対して、吸引回復要求フラグ（ＳＲＦ）がＯＮにセットされていると判断された場合、処理はステップＳ３１０に進み、吸引回復動作を実行する。その後、ステップＳ３２０では、吐出回復要求フラグ（ＤＲＦ）にＯＦＦをセットして、吐出回復要求を解除する。さらに、ステップＳ３３０では、吐出回復Ｂを実行して、処理はステップＳ２８０に進み、記録動作を開始する。
【００７７】
なお、ステップＳ２４０において、キャッピング動作が完了したと判断された場合、実施例２と同様に、ステップＳ３００の処理を実行する。
【００７８】
図１２はキャッピング動作終了後に記録命令を受信した場合における記録開始前動作を示すフローチャートである。
【００７９】
図１２によれば、実施例３と同様にステップＳ２００〜Ｓ２４５、Ｓ２５０の処理後、即ち、記録命令受信後、ステップＳ２５５において、吸引回復要求フラグ（ＳＲＦ）がＯＮにセットされているか否かを調べる。ここで、吸引回復要求フラグ（ＳＲＦ）がＯＮにセットされていない（即ち、ＯＦＦ）と判断された場合、実施例３と同様に、処理はステップＳ２６０’及びＳ２８０を実行する。これに対して、吸引回復要求フラグ（ＳＲＦ）がＯＮにセットされていると判断された場合、処理はステップＳ３１０に進み、吸引回復動作を実行する。その後、処理はステップＳ２６０’に進み、その後、処理はステップＳ２８０に進み、記録動作を開始する。
【００８０】
従って以上説明した実施例に従えば、回復動作の吐出回復以外に吸引回復要求がある場合は、吸引回復により記録ヘッドの回復がなされるならば吸引回復後の吐出回復を抑止して、吸引回復と吐出回復の重複動作による無駄なインク消費を防止することができる。
【００８１】
なお、以上説明した実施例１〜４では、吐出回復Ａの回復量を前回の吐出回復からの経過時間に応じて選択するという例について説明したが、本発明はこれによって限定されるものではない。例えば、記録データに使用される吐出ノズルのみ吐出回復を実行してもよい。
【００８２】
また、本発明は単機能のインクジェット記録装置のほか、インクジェット記録装置を記録部として用いたファクシミリ、複写機、ワードプロセッサ、また複合機にも適用することができる。
【符号の説明】
【００８３】
２０ａ、２０ｂ  キャップ、２１ａ、２１ｂ  ワイパ、２２  吸引機構、
１００  記録装置、１０１  給紙部、１０２  搬送部、１０３  記録部、
１０４  回復機構部、１０５  インクタンク、１０６  インク供給チューブ、
１０７  搬送ローラ、１０８  キャリッジ、１０９、１１０  記録ヘッド、
３０１  コンタクトパッド、３０２、３０９  ヘッドチップ、
３０３、３０４、３０５、３１０  吐出口列、３０６、３１１  インク液室、
３０７、３０８、３１２、３１３  吐出口
【図１】
2020168780.tif 000003
【図２】
2020168780.tif 000004
【図３】
2020168780.tif 000005
【図４】
2020168780.tif 000006
【図５】
2020168780.tif 000007
【図６】
2020168780.tif 000008
【図７】
2020168780.tif 000009
【図８】
2020168780.tif 000010
【図９】
2020168780.tif 000011
【図１０】
2020168780.tif 000012
【図１１】
2020168780.tif 000013
【図１２】
2020168780.tif 000014